(57)【特許請求の範囲】
【請求項１】
座部（１）、中間部（３）及びベース部（２）を有する揺動腰掛けであって、前記中間部（３）が傾斜及び復元が可能なようにベース部（２）に保持された揺動腰掛けにおいて、前記中間部（３）はセンター・ピラー（４）及びバネ構造体（５）を有し、前記センター・ピラー（４）及びバネ構造体（５）は座部（１）及びベース部（２）の間にて互いに同心をなすように配置され、ベアリング・ガイド（６）を前記センター・ピラー（４）及び前記バネ構造体（５）の間に配置し、
前記センター・ピラー（４）は前記ベアリング・ガイド（６）と接触可能な少なくとも１つの垂直ガイド・トラック（１１）を含み、
前記ベアリング・ガイド（６）は高さ方向に互いに離間した少なくとも２つの部分からなるベアリング手段（１２）を含み、かつ前記ベアリング手段（１２）の各々はベアリングエレメント（１３）からなり、
前記ベアリング・エレメント（１３）はバネの負荷が加わった状態で前記ガイド・トラック（１１）に対して付勢されるとともにベアリング・エレメント保持具（１８）によって保持されており、
前記ベアリング・エレメント保持具（１８）は前記ベアリング・エレメント（１３）をガイド・トラック（１１）に対して付勢するための圧縮バネ（１９）又は弾性変形可能な突起部（２０）を有し、それにより該圧縮バネ（１９）又は該弾性変形可能な突起部（２０）は、チューブ（３７）に圧接した状態にて付勢することによる支持を提供する揺動腰掛け。
【請求項２】
前記バネ構造体（５）は動的バネ保持具（７）及び静的バネ保持具（８）を有し、バネ（９）を前記動的バネ保持具（７）及び静的バネ保持具（８）の間に動作可能に配置した請求項１に記載の揺動腰掛け。
【請求項３】
前記センター・ピラー（４）はベアリング・ガイド（６）によって支持される少なくとも１つの垂直ガイド・トラック（１１）を備えたスプリング・ピラー（１０）である請求項１または２に記載の揺動腰掛け。
【請求項４】
前記スプリング・ピラー（１０）は長さを調整し得る請求項３に記載の揺動腰掛け。
【請求項５】
前記ベアリング手段（１２）の各々に対して少なくとも２つのベアリング・エレメント（１３）をガイド・トラック（１１）上に配置した請求項１に記載の揺動腰掛け。
【請求項６】
前記ベアリング・エレメント（１３）はボールまたはローラーを有する請求項５に記載の揺動腰掛け。
【請求項７】
前記ベアリング・エレメント保持具（１８）は弾性変形可能な領域を有するとともに、弾性変形によりベアリング・エレメント（１３）をガイド・トラック（１１）に対して付勢する請求項１に記載の揺動腰掛け。
【請求項８】
前記ガイド・トラック（１１）はチューブであり、前記チューブの第１の端はスプリング・ピラー（１０）の下端に対して取付けられ、前記チューブの第２の端は動的バネ保持具（７）に対して取付けられている請求項３乃至７のいずれか一項に記載の揺動腰掛け。
【請求項９】
平軸受ブッシュ（１４）を前記ガイド・トラック・チューブ（１１）及びスプリング・ピラー（１０）の間に配置した請求項３乃至８のいずれか一項に記載の揺動腰掛け。
【請求項１０】
前記ベアリング・ガイド（６）は支持脚本体（１５）上に配置されている請求項１乃至９のいずれか一項に記載の揺動腰掛け。
【請求項１１】
前記ベアリング保持具（１８）は放射方向に移動可能に支持脚本体（１５）内に保持されている請求項１０に記載の揺動腰掛け。
【請求項１２】
前記支持脚本体（１５）はスプライン結合部（１６）を介してベース部（２）に取付け可能である請求項１０または１１に記載の揺動腰掛け。
【請求項１３】
前記動的バネ保持具（７）及び静的バネ保持具（８）の間の間隔は調整可能である請求項２乃至１２のいずれか一項に記載の揺動腰掛け。
【請求項１４】
回動可能なユニオン・ナット（１６）はバネ支持手段として支持脚本体（１５）上に配置されており、前記ユニオン・ナット（１６）はバネ（１９）に対してプレストレスを加え得る請求項１０乃至１３のいずれか一項に記載の揺動腰掛け。
【請求項１５】
ゴム−金属スイング結合部の形態をなす復元装置（２１）を更に備え、前記復元装置（２１）はスプライン結合部（１６）を介して前記中間部（３）に取り付けられるとともに、該復元装置（２１）の底部（２７）が前記ベース部（２）のアーム（３１）に固定されている請求項１乃至１４のいずれか一項に記載の揺動腰掛け。
【請求項１６】
前記復元装置（２１）の復元力は調整可能である請求項１５に記載の揺動腰掛け。
【請求項１７】
前記中間部（３）は床に隣接したベース部（２）に対して傾斜可能である請求項１乃至１６のいずれか一項に記載の揺動腰掛け。
【発明の詳細な説明】
本発明は座部、中間部及びベース部を有する揺動腰掛けであって、中間部が傾斜及び復元が可能なようにベース部に対して取付けられた揺動腰掛けに関する。
この種の揺動腰掛けの例はドイツ実用新案第７５３１１２９号に開示されている。しかし、同ドイツ実用新案第７５３１１２９号は腰掛けよりも寧ろ、作業場において立つことを余儀なくされている作業者のための作業用シートを開示している。作業用シートは同シートを使用する人の移動に追従する高さ調整可能なサドル・シートを有する。板状ベースの上に配置されたボール・ジョイントは揺動を可能にする。更に、板状ベース内に配置された引張りバネ機構は中立位置への自動復元を可能にする。シートの高さ調整及び限られた弾発作用は中間部に配置されたガス圧スプリングによって提供される。
前記の作業用シート、即ち揺動腰掛けは問題点を有する。即ち、同揺動腰掛けはガス圧スプリングにより中間部の長手方向に延びる軸上において限られた弾発を形成するのみである。このため、中間部の長手方向に延びる軸の周囲におけるスイングは不可能である。
本発明の目的は、能動的、かつ動的な着座を可能にする揺動腰掛け、換言するならば、前記の揺動の他に、偏向した状態にある中間部の長手方向に延びる軸上に正常に着座しながらのスイングを可能にする揺動腰掛けを開発することにある。
本発明の目的は中間部がセンター・ピラー及びバネ構造体を有し、同センター・ピラー及びバネ構造体を座部重量の力の伝達方向に沿って座部及びベース部の間に連続して取付け、さらにベアリング・ガイドをセンター・ピラー及びバネ構造体の間に配置することによって達成される。
中間部がセンター・ピラー及びバネ構造体の形態をなすという事実と、同センター・ピラー及びバネ構造体のコンパクトな構成と、センター・ピラー及びバネ構造体の間の相対的移動のためのベアリング・ガイドの提供とにより、椅子の全体的な寸法とともに、中間部の長手方向に延びる軸上における弾発を提供することが可能であり、同弾発は腰掛けに着座しながらの快適な能動的、かつ動的なスイングを長いバネ移動距離にわたって保証する。
センター・ピラー及びバネ構造体は互いに同心をなすように配置することが効果的である。バネ構造体は動的バネ保持具及び静的バネ保持具を有する。バネは動的バネ保持具及び静的バネ保持具の間に配置されている。ベアリング・ガイドはセンター・ピラー及び静的バネ保持具の間に配置することが望ましい。
センター・ピラーはガス・スプリング等の長さ調整可能なスプリング・ピラーの形態をなすとともに、ベアリング・ガイドと協働する少なくとも１つの垂直ガイド・トラックを有することが効果的である。
ベアリング・ガイドは高さ方向に互いに離間した２つの部分からなるベアリング手段を有し、同ベアリング手段がベアリング・エレメントとしてボールまたはローラーを有することが望ましい。
特に好ましい実施の形態において、ベアリング・エレメントはバネの負荷が加わった状態でガイド・トラックに対して付勢される。バネの力を受けないベアリング・エレメントを使用する際、製造誤差は揺動及びスイング中に顕著に認識できるとともに、腰掛け上における能動的、かつ動的な着座を阻害する。
各ベアリング手段に対して少なくとも２つのベアリング・エレメントをガイド・トラック上に配置することが望ましい。
前記の構成において、ベアリング・エレメントはベアリング・エレメント保持具によって効果的に保持されている。ベアリング・エレメント保持具は圧縮バネ、弾性変形可能な領域、または弾性変形可能な突起部によりベアリング・エレメントをガイド・トラックに対して付勢する。圧縮バネ、弾性変形可能な領域、または弾性変形可能な突起部はベアリング・エレメントを放射方向に内側に向けて付勢する。
ガイド・トラックをチューブとし、同チューブの第１の端をスプリング・ピラーの下端に対して取付け、同チューブの第２の端をバネ保持具の動的端部に対して取付けることが望ましい。
更に、平軸受ブッシュ（Gleitlagerbuchse）をガイド・トラック・チューブ及びスプリング・ピラーの間に配置することが望ましい。スプリング・ピラーはガス・スプリングの形態をなすことが好ましい。中間部の長手方向に延びる軸の周囲における能動的、かつ動的な連続する揺動−スイングでは、主な弾発はバネ構造体によって形成され、ガス・スプリングは最小限の範囲の弾発を形成するのみである。従って、平軸受ブッシュが高さの調整に主に使用される。
ベアリング・ガイドは支持脚本体上に配置することが好ましい。ベアリング保持具はバネの負荷が加わった状態で放射方向に移動可能に支持脚本体内に保持されている。バネの負荷が加わったベアリング・エレメントは寸法誤差の補償を提供する。この結果、この構成はトラブルがなく、かつ音を殆ど生じない均一なスイングを中間部の長手方向に延びる軸の周囲において提供する。
支持脚本体はスプライン結合部を介してベース部に取付け得ることが好ましい。
動的バネ保持具及び静的バネ保持具の間の間隔は調整可能であることが望ましい。これを実現すべく、回動可能なユニオン・ナットはバネ支持手段として支持脚本体上に配置されており、同ユニオン・ナットはバネに対してプレストレスを加え得る。バネに対するプレストレスは揺動腰掛けを人の体重に適合させることを可能にする。この結果、人が腰掛けに着座した際、座部は許容できないほどに長くまたは短く下方に移動することがない。このプレストレス機構は支持脚本体上に配置された回動可能なユニオン・ナットによって効果的に形成される。ユニオン・ナットを回動することにより、バネに対してプレストレスを加えることと、同バネに加わる負荷を開放することのいずれ一方が可能である。
復元装置は中間部及びベース部の間に配置されたゴム−金属スイング結合部（Schwingmetall）の形態をなすことが望ましく、さらにはハンド・ホイールを使用することにより復元力の調整が可能である。理想的な揺動を形成すべく、中間部は床に隣接するベース部内の点の周囲で傾斜可能であることが望ましい。
本発明を添付図面に基づく実施例とともに以下に詳述する。
図１は揺動腰掛けの半分を破断して示す部分側面図である。
図２は図１の中間部の下部を拡大して示す部分側面図である。
図３はベアリング・ガイドを備えた中間部の一部を破断して示す部分縦断面図である。
図４ａはベアリング・ガイドの領域内における中間部の横断面図である。
図４ｂは図４ａの一部を拡大して示す部分横断面図である。
図４ｃは図４ｂの別の構成を示す部分横断面図である。
図１は座部１、中間部３及びベース部２を有する揺動腰掛けの半分を破断して示す部分側面図である。中間部３は中央支柱、即ちセンター・ピラー４及びバネ構造体５を有する。更に、中間部３は傾斜及び復元が可能なように自身の下端を介してベース部２に取付けられている。センター・ピラー４は高さ調整可能なスプリング・ピラー１０の形態をなし、同スプリング・ピラー１０はガス・スプリングの形態を一般的になす。座部１は差込式結合部（Steckverbindung）２２によりスプリング・ピラー１０に対して固定して取付けられている。更に、座部１はスプリング・ピラー１０の下端に取付けられたベアリング２３を介してスプリング・ピラー１０の長手方向に延びる軸の周囲で回動し得る。座部１の高さを調整すべく、レバー２４が座部１の下側に配置されている。レバー２４を動作させた際、同レバー２４はスプリング・ピラーの高さを従来の方法で調整すべくスプリング・ピラーに対して作用する。センター・ピラー４は垂直ガイド・トラック１１を有する。垂直ガイド・トラック１１はスプリング・ピラー１０を取囲むチューブの形態をなす。更に、垂直ガイド・トラック１１の下端はベアリング２３を介してスプリング・ピラー１０に対して回動可能に取付けられている。
所望の能動的、かつ動的な着座特性を実現すべく、バネ構造体５は力の伝達方向に沿ってセンター・ピラー４に続いて連続して取付けられている。力の伝達がバネ構造体を通じて最初に行われ、次いでセンター・ピラーを通じて行われる逆の構成も同様に可能である。
バネ構造体５は静的バネ保持具８、バネ９及び動的バネ保持具７を有する。動的バネ保持具７はガイド・トラック１１の頂端に固定して取付けられている。ベアリング・ガイド６はセンター・ピラー４及びバネ構造体５の間の相対的移動を実現すべくバネ構造体５及びガイド・トラック１１の間に提供されている。本実施の形態において、ベアリング・ガイド６は支持脚本体１５の頂部保持部内に保持された２つのベアリング手段１２を有する。支持脚本体１５はセンター・ピラー４の下端を形成するとともに、スプライン結合部１６を介してベース部２の構造体に取付けられている。ユニオン・ナット１７を螺合させる雄ねじが支持脚本体１５の底部領域に螺刻されており、同ユニオン・ナット１７はバネ９の支持手段としても機能する。ユニオン・ナット１７を使用することにより、バネ９に対してプレストレスを加え得る。これにより、負荷を座部１に加えた際に同座部１が下方に移動する距離を腰掛けを使用する人の重量に対して整合させ得る。
中間部３はスプライン結合部１６を介してベース部２上の復元装置２１に取付けられている。復元装置２１はゴム−金属スイング結合部の形態をなす。そして、復元装置２１は頂端をスプライン結合部１６の形成に使用するほぼ管状の頂部２５と、ベース部２のアーム３１に対して固定された底部２７と、頂部２５及び底部２７の間に位置する弾性材２６とを含む。底部２７は頂部２５をカップ状に取り囲んでいる。弾性材２６は複数の端の間に配置されるのみならず、複数の側壁の間にも配置されている。頂部２５及び底部２７はネジ２９によって互いに連結されている。そして、ネジ２９と協働する調整ナット２８を使用することにより、復元装置２１に対してプレストレスを加え得る。この結果、復元力を調整できる。図１に示す別の構成において、復元装置２１の特性を更に柔軟、かつ快適にする別の弾性エレメント３０がネジ２９の頭部及び頂部２５の間に配置されている。一般的に、ベース部２は復元装置２１、中間部及び座部をアーム３１を介して中心に取付けるほぼ閉鎖されたリングの形態をなす。負荷が加わった際、アーム３１は弾性変形する。この結果、揺動腰掛けは復元装置２１の下端に取付けられた摩擦力を高める接触装置３３を介して床または地面に対して圧接される。
負荷が加わった際にベース部２内に弾性的に格納される（突出可能に付勢される）ローラーまたはボール３４は揺動腰掛けの環状ベース部２に取付けられている。更に、ドイツ工業規格（ＤＩＮ）に基づくローラーまたはボールを使用できる。これらのローラーまたはボールは弾性的に突出した状態において固定され、さらに軽い負荷が加わった際に揺動腰掛けの移動を可能にし、そして負荷が完全に加えられた際にベース部２内に弾性的に格納される。
図２は中間部３の底部と、図１の揺動腰掛けの復元装置２１とを拡大して示す。能動的、かつ動的なスイングを中間部３の長手方向に延びる軸の周囲で形成した際、ガイド・トラック１１及びバネ構造体５の間に相対的移動が形成される。この相対的移動はバネ構造体５及びガイド・トラック１１の間に配置された前記のベアリング・ガイド６により実現できる。ベアリング・ガイド６は複数の図面に基づいて以下に詳述する。拡張した状態において、バネ９の移動は垂直ガイド・トラック１１の下端に位置する当接部３５によって制限される。当接部３５は支持脚本体１５上に形成されたステップまたは肩部と協働する。上方への移動を停止させる際に生じる音を消すべく、ゴム・リング３６が支持脚本体１５及び当接部３５の間に動作可能に配置されている。弾性当接部３２は下方への移動を停止させるべくネジ２９の頭部の上に配置されている。
図３はベアリング・ガイド６を配置した中間部の一部を示す。本実施の形態において、ベアリング・ガイド６は２つのベアリング手段１２を有する。２つのベアリング手段１２は支持脚本体１５内に保持され、さらにはガイド・トラック１１と協働する。ベアリング手段１２はガイド・トラック１１の周縁に沿って配置された４つのベアリング・エレメント１３を各平面内に有し、同ベアリング・エレメント１３はローラーまたはボールの形態をなし得る（図４ａ参照）。本実施の形態において、ベアリング・エレメント１３はローラーの形態をなし、同ローラーのローラー・シャフト、即ち支軸の両端は複数のベアリング・エレメント保持具１８内にそれぞれ収容されている。ベアリング・エレメント保持具１８は放射方向に所定距離移動可能に支持脚本体１５内に保持されるとともに、ガイド・トラック１１の方向にバネで付勢されている。バネによる付勢を提供する２つの異なる構成を示す。第１の構成においては、ベアリング・エレメント保持具１８は支持脚本体５を取り囲むチューブ３７に圧接する圧縮バネ１９によって支持されている。この結果、ベアリング・エレメント１３はガイド・トラック１１の方向に付勢されている。チューブ３７は支持脚本体１５の頂部環状領域に取付けられ、さらにはベアリング手段１２を固定すべく支持脚本体１５と協働する。
第２の構成において、各ベアリング・エレメント保持具１８は弾性突起部２０を有する。弾性突起部２０は弾性変形することによりベアリング・エレメント保持具１８及びベアリング・エレメント１３をガイド・トラック１１に対して付勢する。
図４ａは図３に関連して詳述したベアリング手段１２を示す横断面図である。図４ｂは図４ａの一部を拡大して示す部分横断面図である。この構成はチューブ３７に圧接する圧縮バネ１９からベアリング・エレメント１３に対して加えられたバネの負荷を示す。
図４ｃは図４ｂと同一の部分を示す部分横断面図であるが、異なる構成を示している。図４ｃにおいて、ベアリング保持具１８は弾性突起部２０を有する。弾性突起部２０はチューブ３７に圧接して支持されるとともに、ベアリング・エレメント１３をガイド・トラック１１に対して付勢している。
本発明は前記の実施の形態に限定されるものではない。従って、本発明に基づくベアリング・ガイドを使用する際、座部及びベース部の間におけるテレスコピック・ピラー、即ち伸縮支柱の形態をなすセンター・ピラー及びバネの平行配置を採用し得る。ベアリング・ガイドに関して、例えば、垂直方向に等間隔を隔てて配置され、かつ回動される複数のベアリング・エレメントを提供し得る。
【図１】
0003771586.tif 000002
【図２】
0003771586.tif 000003
【図３】
0003771586.tif 000004
【図４ａ】
0003771586.tif 000005
【図４ｂ】
0003771586.tif 000006
【図４ｃ】
0003771586.tif 000007